(57)【要約】【課題】従来のフランジバック調整機構では、プリズムベース部材と上記ガイド部材との間にバネを挿入することで互いの接触面積が小さくなるためガタを発生する。このため、ガタ防止として一対のガイド部材の径を大きくし接触面積を広くとることで対処している。しかし、ガイド部材の径を大きくさせるためにはテレビジョンカメラの横幅を広くすることが必要となり、その分テレビジョンカメラ全体が大型化する。【解決手段】ガイド軸８はフロントパネル２の内側に一体に撮像方向と平行に突出して設けられ、ホルダー１０はレンズマウント７と同軸に撮像素子１５を保持している。また、ホルダー１０に一体に設けられた軸受部２１はガイド軸８を挿通するとともに、ガイド軸８と摺動してガタを防止できる程度の長さをもたせる。【選択図】      図２
2004343613.tif 000002
【特許請求の範囲】
【請求項１】
カメラのフロントパネルに一体に設けたレンズマウントと、
上記フロントパネルの内側へ一体に設け、上記カメラの撮像方向と平行に突出するガイド軸と、
上記レンズマウントと同軸に上記カメラの撮像素子を保持するホルダ部と、
上記ホルダ部と一体に設けられ、所定長さを有して上記ガイド軸と摺動する軸受部と、
上記ガイド軸と離間したフロントパネルの内側に上記カメラの撮像方向に平行に設けた第１摺動部と、
上記ホルダ部と一体に設けられ、上記第１摺動部と摺動する第２摺動部とを備えたことを特徴とするフランジバック調整機構。
【請求項２】
上記フロントパネルの前面に設けた挿通孔と、
上記挿通孔からフロントパネル内部に挿通するフランジバック調整ネジと、
上記ホルダ部と一体に設けられ、上記フランジバック調整ネジと螺合するネジ穴部とを備え、
上記フランジバック調整ネジと挿通孔との隙間を狭めたことを特徴とする請求項第１項記載のフランジバック調整機構。
【請求項３】
フランジバック調整ネジのツマミ部分をフロントパネルの前面に設けたことを特徴とする請求項第２項記載のフランジバック調整機構。
【請求項４】
上記軸受部の延長上に空間を設けたことを特徴とする請求項第１項乃至第３項に何れかに記載のフランジバック調整機構。
【発明の詳細な説明】
【０００１】
【発明の属する技術分野】
本発明は、撮像素子で撮像する監視カメラ装置等に使用するフランジバック調整機構に係り、特にＣマウントタイプ及びＣＳマウントタイプのレンズを共用できるとともに、小型化できるフランジバック調整機構に関する。
【０００２】
【従来の技術】
従来の監視カメラ装置等に用いられるフランジバック調整機構は、テレビジョンカメラの筐体に設けられたレンズを装着するためのレンズマウントと、前記筐体内に前記レンズマウントの光軸と平行に設けられた一対のガイド部材と、光射出部に複数の撮像素子を位置決め取り付けた分光プリズムを固定したプリズムベース部材とを備え、前記プリズムベース部材が前記一対のガイド部材に移動可能に取り付けられ、前記プリズムベース部材の一側にはプリズムベース部材を前記光軸方向に移動させる調整部材を取り付けるための側面視コの字形の取付部が設けられていた。
【０００３】
【特許文献１】
特開平２００１−１７７７５４号公報（図４）
【０００４】
【発明が解決しようとする課題】
従来のフランジバック調整機構は以上のように構成されており、以下のような課題があった。
（１）従来のフランジバック調整機構では、調整部材を前後に移動させてフランジバックの調整を図っている。一方、監視用レンズにはＣマウントタイプとＣＳマウントタイプとがあり、各々のフランジバックはＣマウントタイプが１７．５２６ｍｍ、ＣＳマウントタイプが１２．５ｍｍである。つまり、ＣマウントタイプとＣＳマウントタイプとの共用を図るためには調整部材の移動距離を少なくても５．０２ｍｍとる必要があるため、側面視コの字形の取付部に５．０２ｍｍ以上の隙間が必要となる。しかし、あまり隙間を広くするとゴミ等が侵入し撮像素子等に付着する可能性がある。
【０００５】
（２）従来のフランジバック調整機構では、一対のガイド部材がフランジバック調整時のガタを防止している。しかし、従来の構成ではプリズムベース部材と上記ガイド部材との間にバネを挿入することで互いの接触面積が小さくなるためガタを発生する。このため、従来の構成では一対のガイド部材の径を大きくし接触面積を広くすることでガタ防止を実現している。しかし、ガイド部材の径が大きくさせるためにはテレビジョンカメラの横幅を広くすることが必要となり、その分テレビジョンカメラ全体が大型化する。
【０００６】
（３）従来のフランジバック調整機構では、調整部材を回転させるツマミ部分もテレビジョンカメラ内部に挿入しているため、その分テレビジョンカメラ全体が大型化する。
【０００７】
この発明は、上記のような課題を解決するためになされたもので、カメラ全体を小型化できるとともに、外部との隙間を狭めてゴミ等の侵入を防止できるフランジバック調整機構を得ることを目的とする。
【０００８】
【課題を解決するための手段】
この発明に係るフランジバック調整機構は、カメラのフロントパネルに一体に設けたレンズマウントと、上記フロントパネルの内側へ一体に設け、上記カメラの撮像方向と平行に突出するガイド軸と、上記レンズマウントと同軸に上記カメラの撮像素子を保持するホルダ部と、上記ホルダ部と一体に設けられ、所定長さを有して上記ガイド軸と摺動する軸受部と、上記ガイド軸と離間したフロントパネルの内側に上記カメラの撮像方向に平行に設けた第１摺動部と、上記ホルダ部と一体に設けられ、上記第１摺動部と摺動する第２摺動部とを備えたものである。
【０００９】
【発明の実施の形態】
発明の実施の形態１．
以下、この発明の実施の形態１を図について説明する。図１はこの発明の実施の形態１に示すフランジバック調整機構を搭載する監視カメラ装置の外観図である。図において、１は監視カメラ装置、２はフロントパネル、３はカバー、４はマウント、５はリヤパネル、６は調整リング、７はレンズマウントである。レンズマウント７は、Ｃマウントタイプ及びＣＳマウントタイプの監視用レンズを取りつけるために設け、フロントパネル２と一体になっている。
【００１０】
図２は、この発明の実施の形態１に示すフランジバック調整機構の分解斜視図である。また、図３は図２に示すフランジバック調整機構の断面図、図４は図２に示すフランジバック調整機構の背面図である。図において、ガイド軸８はフロントパネル２の内側に一体に撮像方向と平行に突出して設けられ、ホルダー１０はレンズマウント７と同軸に撮像素子１５を保持している。また、ホルダー１０に一体に設けられた軸受部２１はガイド軸８を挿通するとともに、ガイド軸８と摺動してガタを防止できる程度の長さを有する。また、ガイド軸８と離間したフロントパネル２の内側に撮像方向と平行に設けた凸部９は、ホルダー１０と一体に設けた凹部２２と互いに摺動してホルダ１０の回動を抑止する。
【００１１】
また、ホルダー１０にロ−パスフィルタ１４、撮像素子１５及びプレ−ト１６を一体化させ基板１７で押えた後、タッピンネジ１８にて固定している。また、フロントパネル２には調整リング６を挿通する挿通孔２３を設け、ホルダー１０の挿通孔２３との対向位置には雌ネジ部１１を設けることで、調整リング６に設けた雄ネジ部２４と螺合させる。また、調整リング６と雌ネジ部１１との間にはバネ１２を挿入し、ホルダー１０方向に付勢させている。また、後方への移動制限を行うため、調整リング６の先端にＥリング１３を取り付けている。また、フロントパネル２にホルダー１０を組込んだ後、ホルダーフロント１９をバインドネジ２０にて固定する構成としている。
【００１２】
次に、各部の詳細について説明を行う。この発明のフランジバック調整機構のガタつき防止構成は、フロントパネル２の光軸方向の隙間を有効に利用している。つまり、フロントパネル２のレンズマウント７から離れた位置にガイド軸８を設け、ガイド軸８と摺動してガタを防止できる程度の長さを有する軸受部２１に挿入して傾きつまりガタの規制を行っている。また、従来と異なりガイド軸８と軸受部２１との間にバネを挿入しないため、ガイド軸８と軸受部２１との摺動長さを十分長くとることができ、ガイド軸８及び軸受部２１を太くしなくてもガタを防止できる程度の十分な接触面積をとることができる。つまり、フロントパネル２の横幅を従来より狭くできカメラ全体を小型化できる。
【００１３】
また、ホルダーフロント１９の軸受部２１周辺に空間部２６を設けることで、フランジバック調整範囲を広くとることができるとともに、ガイド軸８及び軸受部２１との摺動長さをより長く取れるようになることでさらなるガタを防止できる。また、ガイド軸８及び軸受部２１との摺動範囲を十分長くとることができることで、フランジバック調整長さを少なくても５．０２ｍｍ以上とることができるようになり、Ｃマウントタイプ及びＣＳマウントタイプの何れのレンズも使用可能とできる。
【００１４】
また、調整リング６のツマミ部２５をフロントパネル２の前面に配置することでフロントパネル２内の空間をツマミ部２５で取られることが無くなり、フロントパネル２全体を小型化できる。また、本発明の構成では、挿通孔２３と調整リング６との隙間のみが外部と通じる構成となっており、挿通孔２３と調整リング６との隙間を狭めればゴミ等の侵入を防止できる。また、調整リング６の軸部先端にフロントパネル２、ホルダ−１０を介して、Ｅリング１３を取りつけることにより抜け止めとしている。
【００１５】
【発明の効果】
この発明によれば、フランジバック調整機構は、レンズマウントをカメラのフロントパネルに一体に設け、上記カメラの撮像方向と平行に突出するガイド軸を上記フロントパネルの内側へ一体に設け、ホルダ部が上記レンズマウントと同軸に上記カメラの撮像素子を保持し、所定長さを有して上記ガイド軸と摺動する軸受部を上記ホルダ部と一体に設け、第１摺動部を上記ガイド軸と離間したフロントパネルの内側に上記カメラの撮像方向に平行に設け、上記第１摺動部と摺動する第２摺動部を上記ホルダ部と一体に設けたので、ガイド軸と軸受部との摺動長さを十分長くとることができ、ガイド軸及び軸受部を太くしなくてもガタを防止できる程度の十分な接触面積をとることができる効果がある。
【図面の簡単な説明】
【図１】この発明の実施の形態１に示すフランジバック調整機構を搭載する監視カメラ装置の外観図である。
【図２】この発明の実施の形態１に示すフランジバック調整機構の分解斜視図である。
【図３】図２に示すフランジバック調整機構の断面図である。
【図４】図２に示すフランジバック調整機構の背面図である。
【符号の説明】
１  監視カメラ装置
２  フロントパネル
６  調整リング
７  レンズマウント
８  ガイド軸
９  凸部
１０  ホルダー
１１  雌ネジ部
１２  バネ
１５  撮像素子
１９  ホルダーフロント
２１  軸受部
２２  凹部
２３  挿通孔
２４  雄ネジ部
２５  ツマミ部
２６  空間部
【図１】
2004343613.tif 000003
【図２】
2004343613.tif 000004
【図３】
2004343613.tif 000005
【図４】
2004343613.tif 000006